(57)【特許請求の範囲】
【請求項１】
水質計器検出器から入力された異常信号がグラフィック操作パネルに表示される水質モニタをメンテナンスする場合の点検項目及び上記点検項目の点検周期を記憶するように、上記水質モニタとは別の装置上に形成されたデータベース、このデータベースに記憶される上記点検項目及び上記点検項目の点検周期を入力する入力装置、上記データベースに記憶された点検周期に基づき、点検の実施が必要な点検項目を通知するメンテナンス警報を表示する表示装置、及び上記メンテナンス警報に基づく上記点検項目に対するメンテナンスが終了したとき、上記点検項目の終了日付を上記データベースに入力するタイムスタンプ入力装置を備え、上記表示装置に表示される上記メンテナンス警報は、上記グラフィック操作パネルにも表示されることを特徴とする水質計器メンテナンス警報装置。
【請求項２】
点検周期に基づくメンテナンス警報の表示は、毎日行われることを特徴とする請求項１記載の水質計器メンテナンス警報装置。
【請求項３】
データベースには、次回の点検予定日が記憶され、表示装置は、上記点検予定日に基づきメンテナンス警報を表示することを特徴とする請求項１または請求項２記載の水質計器メンテナンス警報装置。
【請求項４】
点検予定日は、標準パターンから選択されてデータベースに入力されることを特徴とする請求項３記載の水質計器メンテナンス警報装置。
【請求項５】
点検周期は、標準パターンから選択されてデータベースに入力されることを特徴とする請求項１〜請求項４のいずれか一項記載の水質計器メンテナンス警報装置。
【請求項６】
表示装置は、点検周期毎の点検項目の一覧表を出力するように構成されていることを特徴とする請求項１〜請求項５のいずれか一項記載の水質計器メンテナンス警報装置。
【発明の詳細な説明】
【０００１】
【発明の属する技術分野】
この発明は、浄水プラントや下水処理プラント等で使用される水質計器のメンテナンス警報装置に関するものである。
【０００２】
【従来の技術】
従来の水質計器では、取扱説明書に各センサの保守周期が記載されているが、その項目が多いことや細かいことにより、メンテナンスが十分実施されないケースや使用されない場合もある。また、従来技術では、変換器からの異常信号により、制御対象機器の特定や故障内容の確認を実施するが、故障が発生した後の事後処理となるため、信号が異常信号となり、制御に不具合を発生する状況に陥る場合がある。
【０００３】
図１０は、例えば特開平０９−１５２３５号公報に示された従来の水質計器メンテナンス警報装置を示す図である。
図１０において、１は水質計器のセンサである水質計器検出器、２は水質計器検出器１の出力を変換する水質計器変換器、３は水質計器変換器２の出力が入力されるシーケンサ、４はシーケンサ３によって制御される制御弁、５はシーケンサ３に接続されたデータ伝送装置、６はシーケンサ３に接続されたグラフィック操作パネルである。７は２〜６から構成される水質モニタである。
【０００４】
次に、動作について説明する。
水質計器検出器１の異常信号は、水質計器変換器２からシーケンサ３に伝送され、その信号はデータ伝送装置５やグラフィック操作パネル６に送付されて、その故障状態の特定や分類が、水質モニタ７に表示される。
【０００５】
【発明が解決しようとする課題】
従来の水質モニタによる異常信号や故障分類では、故障が発生した後の分類や異常診断は可能であるが、その防護手段や事前チェックは、実施できなかった。最近、センサ側でのチェック機能が充実してきているが、問題となるメンテナンスの漏れや校正時期のミスによる不具合は防止できない状況にある。
【０００６】
この発明は、上記のような課題を解決するためになされたものであり、水質計器のメンテナンス周期やその項目をデータベース化し、メンテナンスが必要なときに、メンテナンス項目が自動的に表示される水質計器メンテナンス警報装置を得ることを目的としている。
【０００７】
【課題を解決するための手段】
この発明に係わる水質計器メンテナンス警報装置においては、水質計器検出器から入力された異常信号がグラフィック操作パネルに表示される水質モニタをメンテナンスする場合の点検項目及び点検項目の点検周期を記憶するように、水質モニタとは別の装置上に形成されたデータベース、このデータベースに記憶される点検項目及び点検項目の点検周期を入力する入力装置、データベースに記憶された点検周期に基づき、点検の実施が必要な点検項目を通知するメンテナンス警報を表示する表示装置、及びメンテナンス警報に基づく点検項目に対するメンテナンスが終了したとき、点検項目の終了日付をデータベースに入力するタイムスタンプ入力装置を備え、表示装置に表示されるメンテナンス警報は、グラフィック操作パネルにも表示されるものである。
また、点検周期に基づくメンテナンス警報の表示は、毎日行われるものである。
【０００８】
また、データベースには、次回の点検予定日が記憶され、表示装置は、点検予定日に基づきメンテナンス警報を表示するものである。
さらに、点検予定日は、標準パターンから選択されてデータベースに入力されるものである。
【０００９】
また、点検周期は、標準パターンから選択されてデータベースに入力されるものである。
また、表示装置は、点検周期毎の点検項目の一覧表を出力するように構成されているものである。
【００１０】
【発明の実施の形態】
実施の形態１．
以下、この発明の実施の形態１を図に基づいて説明する。
図１は、この発明の実施の形態１による水質計器メンテナンス警報装置を示す構成図である。
図１において、１〜７は上記従来装置と同一のものであり、その説明を省略する。１１はパソコン等に水質計器のメンテナンスに関するデータベースが装備された水質計器メンテナンスデータベース装置、１２は水質計器メンテナンスデータベース装置１１に、点検項目及びメンテナンス周期等の入力項目を入力する入力装置、１３はメンテナンス内容が表示される表示装置である。１４は点検項目に対するメンテナンスが終了したときの日付であるタイムスタンプを入力するタイムスタンプ入力装置である。
【００１１】
図２は、この発明の実施の形態１による水質計器メンテナンス警報装置のデータベース入力項目画面を示す図である。
図２において、１６は入力装置１２で入力する入力項目である。１７はＴＡＧ．ＮＯ、１８はメンテナンス周期である。
図３は、この発明の実施の形態１による水質計器メンテナンス警報装置の水質計器点検チェック項目表を示す図である。
図３において、２０は水質計器点検チェック項目であり、水質計器メンテナンスデータベース装置１１で作成されたデータベースの画面例であり、毎日点検チェック項目が表示される。
図４は、この発明の実施の形態１による水質計器メンテナンス警報装置のアラームメッセージの表示を示す図である。
図４において、１７はＴＡＧ．ＮＯである。
【００１２】
実施の形態１は、水質計器の種々の機器のメンテナンスにつき同一のフォーマットで、メーカ名、センサ種類、点検項目、メンテナンス周期等の項目を同一フォーマットで、図２の画面で統一入力することにより、水質計器メンテナンスデータベース装置１１にデータベースを構築する。メンテナンスを終了した項目については、タイムスタンプ入力装置１４でタイムスタンプを入力することにより、毎日のメンテナンス内容や項目が表示装置１３に表示され、グラフィックパネル等に画面表示されるもので、図３のように、一目で、その日の点検項目がわかるようにしている。
図４のメンテナンス警報出力フローは、００年１月１日にメンテナンス実施され、周期が６ヶ月とすると、次に００年７月１日になるとアラームが出て、その日の点検項目にリストアップされることが示されている。
【００１３】
次に、動作について説明する。
水質計器のメンテナンスが必要な入力項目１６を、簡単な各センサ毎の入力画面で入力することにより、その点検周期が到達した点検項目の項目リストを、該当日に全ての点検項目につき、リストアップできるようにしている。（デイリーの点検項目が一目で判ることを特徴とする。）
毎日の水質計器点検チェック項目２０は、図３の水質計器点検チェック項目画面でチェックできる。
図４に示すＴＡＧ．ＮＯ１７で示す項目を例で示す。例えば００年０１月０１日にＴＡＧ．ＮＯ１７で示される項目のチェックを行い、図３に示す水質計器点検チェック項目２０でメンテナンス実施をチェックすると、図４では、６ヶ月後、即ち図２で入力したメンテナンス周期１８後、例では次回００年０７月０１日にメンテナンス警報が出力されることとなる。
図３では、このような点検項目が全てリストアップされて表示され、図３でチェックが行われなかった場合、その項目は、次の日も表示される。
【００１４】
実施の形態１によれば、水質計器により種々異なる点検周期や点検項目を一元的に管理でき、その項目について漏れなく点検を実施することにより、個別センサのチェック状況も容易に確認できる。従ってメンテナンス工数を削減でき、効率的な業務が遂行できる。
【００１５】
実施の形態２．
図５は、この発明の実施の形態２による水質計器メンテナンス警報装置のデータベース入力項目画面を示す図である。
図５において、１６〜１８は図２におけるものと同一のものである。２１は次回メンテナンス日である。
図６は、この発明の実施の形態２による水質計器メンテナンス警報装置のアラームメッセージの表示を示す図である。
図６において、１７は図４におけるものと同一のものである。
【００１６】
実施の形態２は、入力項目画面で、次回メンテナンス日を入力することにより、図６の動作フローで、次回の警報が、入力された具体的な日時になった場合、点検項目がリストアップされる。具体的なメンテナンス日を指定できるので、使いやすいものとなる。
実施の形態１では、図２のメンテナンス周期１８で、図４に示される次回のアラームメッセージを表示するものとしたが、実施の形態２は、メンテナンス周期の替わりに図５のように次回メンテナンス日２１を具体的に指定するようにし、図６のように次回メンテナンス日２１にアラームメッセージを表示するようにしている。
【００１７】
実施の形態２によれば、点検項目の出力日が、具体的な日で指定されるので、実施の形態１に比べ、フレキシブルな日程管理に対応可能である。
【００１８】
実施の形態３．
図７は、この発明の実施の形態３による水質計器メンテナンス警報装置のメンテナンスパターンを示す図である。
図７において、２２はメンテナンスパターン、２３はメンテナンス周期である。
実施の形態１では、図２のデータベース入力項目画面のメンテナンス周期１８で６ヶ月と具体的に期間を指定したが、実施の形態３は、図７のように標準パターン期間表を設定しておき、このメンテナンスパターン２２の中から、メンテナンス周期２３を選択してデータベースへの入力を行うようにした。
【００１９】
実施の形態３では、図７のメンテナンス周期パターン表を用い、その項目の選択については、パターン表を選択して設定する方式としたので、メンテナンス周期が簡単に選択でき、運用が容易である。
【００２０】
実施の形態４．
図８は、この発明の実施の形態４による水質計器メンテナンス警報装置のメンテナンスパターンを示す図である。
図８において、２２、２３は図７におけるものと同一のものである。２４はメンテナンス予定日時である。
実施の形態３では、図７でメンテナンス周期２３を指定してデータベースへの入力を行うようにしたが、実施の形態４は、図８のようにメンテナンスパターンの選択により、具体的なメンテナンス予定日時２４を設定できるようにしている。
【００２１】
実施の形態４によれば、各メンテナンス周期につき、一律に実施予定日を設定できるようにした周期パターン表を用いるので、６ヶ月毎などの周期を具体的な日時で設定することにより、より実際の運営に近い運用が可能となる。
【００２２】
実施の形態５．
図９は、この発明の実施の形態５による水質計器メンテナンス警報装置の水質計器点検チェック項目表を示す図である。
図９において、２５はメンテナンス予定である。
実施の形態１は、図３で毎日の要点検項目が表示されるものとしたが、実施の形態５は、図９の６ヶ月のメンテナンス周期をもつ点検項目の一覧表として、水質計器点検チェック項目表を作成できるようにした。図８のメンテナンスパターン２２のメンテナンス予定日時２４もメンテナンス予定２５として、表示できるようにしている。
【００２３】
実施の形態５によれば、メンテナンス周期毎の一覧表を出力することにより、一定周期での点検項目の一覧やその実施状況が一目でわかるメリットがある。
【００２４】
【発明の効果】
この発明は、以上説明したように構成されているので、以下に示すような効果を奏する。
水質計器検出器から入力された異常信号がグラフィック操作パネルに表示される水質モニタをメンテナンスする場合の点検項目及び点検項目の点検周期を記憶するように、水質モニタとは別の装置上に形成されたデータベース、このデータベースに記憶される点検項目及び点検項目の点検周期を入力する入力装置、データベースに記憶された点検周期に基づき、点検の実施が必要な点検項目を通知するメンテナンス警報を表示する表示装置、及びメンテナンス警報に基づく点検項目に対するメンテナンスが終了したとき、点検項目の終了日付をデータベースに入力するタイムスタンプ入力装置を備え、表示装置に表示されるメンテナンス警報は、グラフィック操作パネルにも表示されるので、表示装置またはグラフィック操作パネルに表示されたメンテナンス警報に基づき、未点検の点検項目の点検を実施することにより、洩れなく点検を実施することができる。
また、点検周期に基づくメンテナンス警報の表示は、毎日行われるので、毎日洩れなく点検を実施することができる。
【００２５】
また、データベースには、次回の点検予定日が記憶され、表示装置は、点検予定日に基づきメンテナンス警報を表示するので、点検の日程管理を行いやすい。さらに、点検予定日は、標準パターンから選択されてデータベースに入力されるので、点検予定日のデータベースへの入力を簡素化できる。
【００２６】
また、点検周期は、標準パターンから選択されてデータベースに入力されるので、点検周期のデータベースへの入力を簡素化できる。
また、表示装置は、点検周期毎の点検項目の一覧表を出力するように構成されているので、点検周期毎の点検項目が一覧できる。
【図面の簡単な説明】
【図１】この発明の実施の形態１による水質計器メンテナンス警報装置を示す構成図である。
【図２】この発明の実施の形態１による水質計器メンテナンス警報装置のデータベース入力項目画面を示す図である。
【図３】この発明の実施の形態１による水質計器メンテナンス警報装置の水質計器点検チェック項目表を示す図である。
【図４】この発明の実施の形態１による水質計器メンテナンス警報装置のアラームメッセージの表示を示す図である。
【図５】この発明の実施の形態２による水質計器メンテナンス警報装置のデータベース入力項目画面を示す図である。
【図６】この発明の実施の形態２による水質計器メンテナンス警報装置のアラームメッセージの表示を示す図である。
【図７】この発明の実施の形態３による水質計器メンテナンス警報装置のメンテナンスパターンを示す図である。
【図８】この発明の実施の形態４による水質計器メンテナンス警報装置のメンテナンスパターンを示す図である。
【図９】この発明の実施の形態５による水質計器メンテナンス警報装置の水質計器点検チェック項目表を示す図である。
【図１０】従来の水質計器メンテナンス警報装置を示す構成図である。
【符号の説明】
１１    水質計器メンテナンスデータベース装置、１２    入力装置、
１３    表示装置、１４    タイムスタンプ入力装置、１６    入力項目、
１７    ＴＡＧ．ＮＯ、１８    メンテナンス周期、
２０    水質計器点検チェック項目、２１    次回メンテナンス日、
２２    メンテナンスパターン、２３    メンテナンス周期、
２４    メンテナンス予定日時、２５    メンテナンス予定。
【図１】
0003590569.tif 000002
【図２】
0003590569.tif 000003
【図３】
0003590569.tif 000004
【図４】
0003590569.tif 000005
【図５】
0003590569.tif 000006
【図６】
0003590569.tif 000007
【図７】
0003590569.tif 000008
【図８】
0003590569.tif 000009
【図９】
0003590569.tif 000010
【図１０】
0003590569.tif 000011